(57)【要約】【課題】  本発明は、構造が簡単で且つ薄型化を図ることができ、更に、長期間に亘って優れた検知精度を維持する圧電センサスイッチを提供する。【解決手段】  本発明の圧電センサスイッチは、圧電シートと、上記圧電シートの第一の面に積層一体化されたグランド電極と、上記圧電シートの第二の面に積層一体化されたシグナル電極シートとを有し、上記シグナル電極シートは、電気絶縁シートと、上記電気絶縁シートにおける上記圧電シートに対向する面に互いに電気的に独立して積層一体化された複数個のシグナル電極とを有していることを特徴とする。【選択図】  図１
2016020814.tif 000002
【特許請求の範囲】
【請求項１】
圧電シートと、上記圧電シートの第一の面に積層一体化されたグランド電極と、上記圧電シートの第二の面に積層一体化されたシグナル電極シートとを有し、上記シグナル電極シートは、電気絶縁シートと、上記電気絶縁シートにおける上記圧電シートに対向する面に互いに電気的に独立して積層一体化された複数個のシグナル電極とを有していることを特徴とする圧電センサスイッチ。
【請求項２】
圧電シートが一枚のシートから形成されていることを特徴とする請求項１に記載の圧電センサスイッチ。
【請求項３】
シグナル電極シートの電気絶縁シートにおける圧電シートとは反対側の面には、各シグナル電極に電気的に接続している導電線が互いに電気的に独立して配設されていることを特徴とする請求項１又は請求項２に記載の圧電センサスイッチ。
【請求項４】
シグナル電極に接続している導電線がシグナル電極シートの電気絶縁シートを貫通していることを特徴とする請求項１〜３の何れか１項に記載の圧電センサスイッチ。
【請求項５】
圧電シートが合成樹脂発泡シートから形成されていることを特徴とする請求項１〜４の何れか１項に記載の圧電センサスイッチ。
【請求項６】
圧電シートがポリプロピレン系樹脂発泡シートであることを特徴とする請求項５に記載の圧電センサスイッチ。
【発明の詳細な説明】
【技術分野】
【０００１】
本発明は、圧電センサスイッチに関する。
【背景技術】
【０００２】
従来から、パソコンなどの電子機器への入力装置としてキーボードが用いられている。近年、電子機器の小型化に伴ってキーボードの薄型化も要求されている。
【０００３】
特許文献１には、操作者による入力操作によって入力される情報をスイッチを作動させて適宜な電気信号に変換して出力する入力装置であって、複数のシート状の部材を積層して成ると共に、該シート状の部材の間に上記スイッチ及び応力発生手段から成る複数の入力機構を設け、スイッチの作動と同時に応力発生手段から操作者に応力をフィードバックさせるようにした入力装置が開示されている。
【０００４】
又、特許文献２には、発泡体製であって表裏方向に弾性的に伸縮可能な誘電層と、該誘電層の表側に配置される表側基材と、該誘電層の裏側に配置される裏側基材と、を有するカバー部材と、表側または裏側から見て該カバー部材の外縁のうち裂け目が入りやすい部分の内側および該誘電層の周囲に配置され、該表側基材と該裏側基材との間に介在し、該表側基材の裏面に接着される表側接着層と、該裏側基材の表面に接着される裏側接着層と、該表側接着層と該裏側接着層との間に介在する芯材層と、を有する両面接着部材と、該両面接着部材の、隣接する一対の周方向端部間に区画され、表裏方向に対して交差する交差方向に、該誘電層に対する気体の通路を確保する通孔と、を備えてなる静電容量型センサが開示されている。
【先行技術文献】
【特許文献】
【０００５】
【特許文献１】特開平８−２８４０６３号公報
【発明の概要】
【発明が解決しようとする課題】
【０００６】
特許文献１の入力装置のスイッチは、それぞれのキー表示に対応した数だけ設けられている。このスイッチは、キー表示に対応した数の接点電極及び圧電素子から構成されている。従って、キーボードなどのようにキーの数が多くなると、構造が複雑になるという問題点を有する。
【０００７】
又、特許文献２の静電容量型センサは、誘電層が変形したときの静電容量の変化を測定することによって荷重の有無を検知している。しかしながら、誘電層が経時的に劣化すると、誘電層に加わっている荷重が除去されたにもかかわらず、誘電層が元の状態に復元しないという事態が生じる。このような状態になると、静電容量型センサに荷重が加わっていないにもかかわらず、静電容量型センサは、これに荷重が加わっていると誤って検知するという問題点を有する。
【０００８】
本発明は、構造が簡単で且つ薄型化を図ることができ、更に、長期間に亘って優れた検知精度を維持する圧電センサスイッチを提供する。
【課題を解決するための手段】
【０００９】
本発明の圧電センサスイッチは、圧電シートと、上記圧電シートの第一の面に積層一体化されたグランド電極と、上記圧電シートの第二の面に積層一体化されたシグナル電極シートとを有し、上記シグナル電極シートは、電気絶縁シートと、上記電気絶縁シートにおける上記圧電シートに対向する面に互いに電気的に独立して積層一体化された複数個のシグナル電極とを有していることを特徴とする。
【００１０】
上記圧電センサスイッチにおいて、圧電シートが一枚のシートから形成されていることを特徴とする。
【００１１】
上記圧電センサスイッチにおいて、シグナル電極シートの電気絶縁シートにおける圧電シートとは反対側の面には、各シグナル電極に電気的に接続している導電線が互いに電気的に独立して配設されていることを特徴とする。
【００１２】
上記圧電センサスイッチにおいて、シグナル電極に接続している導電線がシグナル電極シートの電気絶縁シートを貫通していることを特徴とする。
【００１３】
上記圧電センサスイッチにおいて、圧電シートが合成樹脂発泡シートから形成されていることを特徴とする。
【００１４】
上記圧電センサスイッチにおいて、圧電シートがポリプロピレン系樹脂発泡シートであることを特徴とする。
【発明の効果】
【００１５】
本発明の圧電センサスイッチは、上述の如き構成を有しているので、構造の簡略化及び薄型化を図ることができる。
【００１６】
更に、本発明の圧電センサスイッチは、圧電シートが厚み方向に圧縮されるときに発生する電位によって荷重の有無を検知している。圧電シートは、荷重が加えられたときに厚み方向に圧縮されて変形すれば足り、荷重が除去されたときに元の状態に復元することを必ずしも要しない。圧電シートは、たとえ経時的に劣化した場合にあっても、荷重が加えられたときの厚み方向への圧縮、変形は維持することから、本発明の圧電センサスイッチは、長期間に亘って優れたセンサ精度を維持する。
【００１７】
上記圧電センサスイッチにおいて、圧電シートが一枚のシートから形成されている場合には、構造の簡略化を図ることができると共に、部品数の減少によって生産効率を向上させることができ、更に、軽量化も図ることができる。
【００１８】
上記圧電センサスイッチにおいて、シグナル電極シートの電気絶縁シートにおける圧電シートとは反対側の面には、各シグナル電極に電気的に接続している導電線が互いに電気的に独立して配設されている場合には、各シグナル電極に電気的に接続している導電線を他のシグナル電極の配設位置を考慮する必要なく電気絶縁シート上に配設することができ、電気絶縁シート上への導電線の配設を容易に行うことができる。
【００１９】
上記圧電センサスイッチにおいて、シグナル電極に接続している導電線がシグナル電極シートを貫通している場合には、各シグナル電極に接続している導電線をシグナル電極シートの電気絶縁シートにおけるシグナル電極の配設面とは反対側の面に容易に引き出して配設することができ、更に、導電線の長さを短くしてノイズが発生することを抑制することができる。
【００２０】
上記圧電センサスイッチにおいて、圧電シートが発泡シートから形成されている場合には、圧電センサスイッチを指などで押圧したときに、圧電センサスイッチが変形し、圧電センサスイッチを押圧したことを体感することができ、圧電センサスイッチの押圧をより確実に行うことができる。
【００２１】
上記圧電センサスイッチにおいて、圧電シートがポリプロピレン系樹脂発泡シートである場合には、圧電シートの圧電性に優れており、圧電センサスイッチに加えられた荷重の有無をより正確に検知することができる。
【図面の簡単な説明】
【００２２】
【図１】本発明の圧電センサスイッチを示した断面図である。
【図２】図１の圧電センサスイッチの分解斜視図である。
【図３】入力システムの全体構成を示す図である。
【図４】図３の入力システムをＣＰＵを用いて実現した場合のハードウエア構成を示す図である。
【図５】位置キーテーブルを示した図である。
【発明を実施するための形態】
【００２３】
本発明の圧電センサスイッチＡの一例を図面を参照しながら説明する。図１及び図２に示したように、圧電センサスイッチＡは圧電シート１を有している。圧電シート１は一定厚みを有していることが好ましい。圧電シート１が一定厚みを有していることによって、圧電センサスイッチの厚みを一定とし、圧電センサスイッチの各センサ部に加えられる荷重をそれぞれより正確に検知することができる。例えば、圧電センサスイッチをキーボードなどの入力装置として用いた場合、圧電センサスイッチからの入力作業を円滑に行うことができる。
【００２４】
圧電シート１としては、外力が加えられることによって表面に電荷を発生させることができるシート（圧電現象を有するシート）であれば、特に限定されない。圧電シート１としては、感度が高く、厚み方向の変形で電荷を発生しやすいことから、合成樹脂シート（合成樹脂発泡シート又は合成樹脂非発泡シート）に分極を付与した圧電シートが好ましく、合成樹脂発泡シートに分極を付与した圧電シートがより好ましい。
【００２５】
合成樹脂シートを構成する合成樹脂としては、特に限定されず、例えば、ポリエチレン系樹脂、ポリプロピレン系樹脂などのポリオレフィン系樹脂、ポリフッ化ビニリデン、ポリ乳酸、液晶樹脂などが挙げられ、ポリオレフィン系樹脂が好ましく、ポリプロピレン系樹脂がより好ましい。
【００２６】
合成樹脂シートに分極を付与する方法としては、特に限定されず、例えば、（１）合成樹脂シートを一対の平板電極で挟持し、帯電させたい表面に接触させている平板電極を高圧直流電源に接続すると共に他方の平板電極をアースし、合成樹脂シートに直流又はパルス状の高電圧を印加して合成樹脂に電荷を注入して合成樹脂シートに分極を付与する方法、（２）電子線、Ｘ線などの電離性放射線や紫外線を合成樹脂シートの表面に照射して、合成樹脂シートの近傍部の空気分子をイオン化することによって合成樹脂シートに分極を付与する方法、（３）合成樹脂シートの第一の面に、アースされた平板電極を密着状態に重ね合わせ、合成樹脂シートの第二の面側に所定間隔を存して直流の高圧電源に電気的に接続された針状電極又はワイヤー電極を配設し、針状電極の先端又はワイヤー電極の表面近傍への電界集中によりコロナ放電を発生させ、空気分子をイオン化させて、針状電極又はワイヤー電極の極性により発生した空気イオンを反発させて合成樹脂に分極を付与する方法などが挙げられる。
【００２７】
圧電シート１の第一の面11の略全面には一枚のグランド電極２が積層一体化されている。圧電シート１の第一の面11上にグランド電極２を積層一体化する方法は、特に限定されず、例えば、（１）グランド電極２は圧電シート１の第一の面11に直接、蒸着などの汎用の方法で積層一体化させる方法、（２）圧電シートの第一の面11上に、第一電気絶縁シート21の第一の面にグランド電極２を積層一体化してなるグランド電極シート2Aを積層一体化する方法などが挙げられ、圧電シート１の圧電性を維持しつつ、グランド電極２を圧電シート１上に積層一体化することができるので、上記（２）の方法が好ましい。
【００２８】
本発明において、電気絶縁シートは、電気絶縁性を有しておれば、特に限定されず、例えば、ポリエチレンテレフタレートシート、ポリエチレンナフタレートシート、ポリ塩化ビニルシートなどが挙げられる。
【００２９】
電気絶縁シート上に電極を形成する方法としては、例えば、（１）電気絶縁シート上に、バインダー中に導電性微粒子を含有させてなる導電ペーストを塗布、乾燥させる方法、（２）電気絶縁シート上に蒸着によって電極を形成する方法、（３）電気絶縁シート上に、銅箔、アルミニウム箔などの金属シートを電極として積層一体化する方法などが挙げられる。
【００３０】
グランド電極シート2Aは、圧電シート１の第一の面11上に、グランド電極２を圧電シート１側にして必要に応じて固定剤（図示せず）を介して積層一体化される。
【００３１】
固定剤は、反応系・溶剤系・水系・ホットメルト系の接着剤又は粘着剤から構成されており、圧電シート１の感度を維持する観点から、誘電率の低い固定剤が好ましい。
【００３２】
又、圧電シート１の第二の面12上にはシグナル電極シート3Aが必要に応じて固定剤（図示せず）を介して積層一体化されている。なお、固定剤は上記と同様であるので説明を省略する。
【００３３】
シグナル電極シート3Aは、第二電気絶縁シート31の第一の面31a上に複数個のシグナル電極３が電気的に互いに独立した状態で積層一体化されている。各シグナル電極３は、圧電センサスイッチＡにおいて、互いに独立したセンサ部Ｂを構成する。圧電センサスイッチＡの各センサ部Ｂの大きさ及びセンサ部Ｂの数は、圧電センサスイッチＡの用途ごとに適宜、設定される。各シグナル電極３は、その大きさ及び数を、圧電センサスイッチＡの各センサ部Ｂの大きさ及び数に対応させて形成される。例えば、圧電センサスイッチＡがキーボードとして用いられる場合には、図２に示したように、複数個のシグナル電極３は、第二電気絶縁シート31の第一の面31a上に、キーボードの各キーの配列と同様の配列にて配設される。各シグナル電極３は、対応するキーの大きさ及び形状に対応させて形成される。圧電センサスイッチＡは、テレビ及びオーディオなどのリモコンのボタン操作部、並びに、自動車のリモートコントロールキーのボタン操作部を構成することもできる。複数個のシグナル電極３は、第二電気絶縁シート31の第一の面31a上に、リモコン又はリモートコントロールキーの各ボタンの配列と同様の配列にて配設される。このように、圧電センサスイッチＡは、キーボードのキー及びリモコンのボタンなど複数個のスイッチ部が配列してなる操作部を好適に構成することができる。
【００３４】
第二電気絶縁シート31の第一の面31a上へのシグナル電極３の形成方法は、上述した電気絶縁シート上に電極を形成する方法を用いることができる。
【００３５】
圧電シート１の第二の面12上に、シグナル電極シート3Aがその第一の面31a（シグナル電極３が形成されている面）を圧電シート１に対向させた状態に積層一体化されている。なお、シグナル電極シート3Aは、圧電シート１の第二の面12上に必要に応じて上記固定剤（図示せず）を介して積層一体化されている。
【００３６】
更に、シグナル電極シート3A上には、全てのシグナル電極３を覆うように、シールドシート4Aが積層一体化されている。シールドシート4Aは、第三電気絶縁シート41の第一の面41a上に一枚の電磁波シールド層４が積層一体化されてなる。シールドシート4Aは、その第三電気絶縁シート41がシグナル電極シート3A側となるようにシグナル電極シート3A上に積層一体化されている。電磁波シールド層４上に電気絶縁シートが更に積層一体化されて、２枚の電気絶縁シート間に電磁波シールド層４が介在されてなるシールドシートであってもよい。なお、第三電気絶縁シート41上に電磁波シールド層４を積層一体化する要領は、電気絶縁シート上に電極を形成する要領と同様であるのでその説明を省略する。シグナル電極シート3Aのシグナル電極３は全面的に一枚のシールド電極４によって被覆されている。そして、シグナル電極シート3Aとグランド電極２とは、ピアス端子又は導電線などの汎用の手段によって電気的に接続されている。このように、シグナル電極３はシールド電極４によって被覆されているので外部からの電磁波の影響を概ね受けない。
【００３７】
そして、シグナル電極３と、シグナル電極３を圧電シート１の厚み方向に投影した圧電シート１の一部分13、グランド電極２の一部分22及び電磁波シールド層４の一部分42とによってセンサ部Ｂが構成されている。圧電センサスイッチＡのセンサ部Ｂは、シグナル電極３と、一枚の圧電シートの一部分13、一枚のグランド電極２の一部分22及び一枚のシールド層の一部分42とによって構成されており、センサ部Ｂの数に対応した数の圧電シート、グランド電極及びシールド層を必要とせず、部品数の削減を図ることができ製造効率に優れていると共に、部品数の削減により圧電センサスイッチＡの軽量化も図ることができる。
【００３８】
更に、各シグナル電極３には導電線L1が電気的に接続されている。各導電線L1は、他のシグナル電極３、及び、他のシグナル電極３に接続している導電線L1とは電気的に互いに独立した状態となっている。従って、圧電センサスイッチＡの各センサ部Ｂにて発生した電位はそれぞれ互いに独立して測定される。
【００３９】
各シグナル電極３に接続されている導電線L1は、第二電気絶縁シート31の表面に、スクリーン印刷などの公知の方法を用いて形成される。導電線L1が形成される面は、第一の面31a（シグナル電極３が形成されている面）であっても、第二の面31b（シグナル電極３が形成されている面とは反対側の面）であってもよい。
【００４０】
一方、図２に示したように、導電線L1は、第二電気絶縁シート31の外周縁まで引き出される。各シグナル電極３に接続された導電線L1を第一の面31a（シグナル電極３が形成されている面）に形成する場合には、他のシグナル電極３及び導電線L1に電気的に接続しないように、各導電線L1を配設する必要がある。従って、シグナル電極３の数が多くなった場合や、シグナル電極３間の隙間が狭い場合には、導電線L1の幅を狭くするなどの工夫が必要となることがある。
【００４１】
そこで、各シグナル電極３に接続させている導電線L1を第二電気絶縁シート31の第二の面31bに形成することが好ましい。導電線L1を第二電気絶縁シート31の第二の面31bに形成する場合には、シグナル電極３との電気的な短絡を考慮する必要がなく、導電線L1同士の電気的な接続が生じないように導電線L1を配設すれば足りる。従って、導電線L1を第二電気絶縁シート31の第二の面31b上に容易に配設することができると共に、導電線L1の幅を太くして圧電シート１で発生した電位をより確実に検知することができる。
【００４２】
図１及び図２に示したように、シグナル電極３に接続させている導電線L1を第二電気絶縁シート31の第二の面31b上に形成する場合、シグナル電極３を形成している第二電気絶縁シート31部分に第一の面31aと第二の面31bとの間に亘って貫通する貫通孔31cを形成し、この貫通孔31cを通じて、シグナル電極３に電気的に接続させた導電線L1を第二電気絶縁シート31の第二の面31b上に引き出して配設すればよい。即ち、導電線L1は、貫通孔31c内に配設され且つ第一の端がシグナル電極３に電気的に接続され、第二の端が第二電気絶縁シート31の第二の面31b上に位置する第一導電線部L11と、この第一導電線部L11に第一の端が電気的に接続し且つ第二電気絶縁シート31の第二の面31b上に配設された第二導電線部L12とを有している。
【００４３】
更に、シールドシート4A上には保護シート５が積層一体化されている。なお、保護シート５は、必要に応じて上記固定剤（図示せず）を介してシグナル電極シート3A上に積層一体化される。保護シート５は、電気絶縁シートであれば特に限定されない。
【００４４】
保護シート５の表面には、センサ部Ｂ（シグナル電極３）の位置に対応させてセンサ位置表示部51が形成されている。センサ位置表示部51は、例えば、圧電センサスイッチＡがキーボードとして用いられる場合には、キーボードのキーを示した表示部とされる。センサ位置表示部51は、圧電センサスイッチＡが、リモコンのボタン操作部として用いられる場合には、リモコンのボタンを示した表示部とされる。
【００４５】
以上のように、圧電センサスイッチＡは、シグナル電極３の配列及び大きさ、並びに、保護シート５のセンサ位置表示部51の表示を変更するだけで、様々な用途に展開することができる。
【００４６】
次に、上記圧電センサスイッチＡの使用要領の一例について説明する。圧電センサスイッチＡは、複数のセンサ部Ｂを有しており、互いに独立してセンサ部Ｂに加わる荷重を検知することできる。従って、圧電センサスイッチＡは、異なる場所のそれぞれに荷重が加わっているか否かを独立して検知することができる。
【００４７】
圧電センサスイッチＡは、例えば、床上又は寝具上に配設し、圧電センサスイッチＡの各センサ部Ｂでの荷重の有無の検知し、圧電センサスイッチＡ上に存在する人又は物の位置を検知するセンサとして用いることができる。
【００４８】
また、圧電センサスイッチＡは、例えば、入力部であるキーボードとして用いることもできる。圧電センサスイッチＡをキーボードとして用いる場合、保護シート５の各センサ位置表示部51をキーボードのキーを表示したものとし、保護シート５の表面全体にキーボードを表示する。
【００４９】
圧電センサスイッチＡを入力部であるキーボートとして用いて入力システムＮを構成することができる。入力システムＮの全体構成を説明する。図３に示したように、入力システムＮは、圧電センサスイッチＡと、測定手段Ｃと、出力手段Ｄと、電子機器Ｅとを備えている。測定手段Ｃは、圧電センサスイッチＡの何れのセンサ部Ｂにおいて電位が発生しているのかを判断し、電位が発生しているセンサ部Ｂの位置情報を出力手段Ｄに出力する。出力手段Ｄは、センサ部Ｂの位置情報に対応するキー情報を電子機器Ｅに出力する。キー情報を受信した電気機器Ｅは、キー情報に基づいて所定の処理を行う。
【００５０】
図４に、各手段をＣＰＵを用いて実現した場合のハードウエア構成を示す。ＣＰＵ(Central Processing Unit)６に、ＲＯＭ(Read Only Memory)７と、ＲＡＭ(Random Access Memory)８と、電位計などの測定モジュール９と、ＳＳＤ（Solid State Drive）やＨＤＤ（Hard Disk Drive）などの補助記憶装置10と、電子機器Ｅが電気的に接続されている。
【００５１】
更に、測定モジュール９には圧電センサスイッチＡが電気的に接続されている。なお、測定モジュール９としては汎用の電位計などが用いられる。圧電センサスイッチＡのシグナル電極３に電気的に接続された各導電線L1は、測定モジュール９に互いに電気的に独立した状態に接続されている。圧電センサスイッチＡのグランド電極２にも導電線（図示せず）が電気的に接続されており、グランド電極２に接続された導電線は途中で二つに分岐され、一方の分岐線にアースをとる一方、他方の分岐線を測定モジュール９に電気的に接続させている。なお、グランド電極２に接続された導電線を途中で分岐させることなく、導電線を測定モジュール９に電気的に接続させてもよい。圧電センサスイッチＡのセンサ部Ｂに荷重が加わると、センサ部Ｂを構成している圧電シート１部分が圧縮されて電位が発生する。発生した電位は、グランド電極２を基準電位として各シグナル電極３の電位を測定することによって測定モジュール９にて測定される。測定モジュール９は、それぞれのセンサ部Ｂにて発生した電位を互いに独立して測定することができる。従って、圧電センサスイッチＡの各センサ部Ｂでの荷重の有無を互いに独立して検知することができる。
【００５２】
ＲＯＭ７内には、ＣＰＵ６にて実行される制御プログラムや各種データが格納されている。ＲＡＭ８には、各種のプログラムに基づいて設定される設定値を一次的に記憶するためのメモリなどが格納されている。
【００５３】
具体的には、ＲＯＭ７内には、測定手段としての測定プログラムが格納されている。測定手段Ｃは、ＣＰＵ６やＲＡＭ８上に測定プログラムを読み込ませることにより、ＣＰＵ６の制御のもとで、ＲＡＭ８や補助記憶装置10におけるデータの読み出し及び書き込みを行うことで実現される。測定プログラムは、圧電センサスイッチＡの各センサ部Ｂの電位を測定モジュール９によって測定すると共に、電位が測定されたセンサ部Ｂの位置情報を測定モジュール９を介して圧電センサスイッチＡから取得し、この位置情報を出力手段Ｄに出力するように設定されている。
【００５４】
更に、ＲＯＭ７内には、出力手段としての出力プログラムが格納されている。出力手段Ｄは、ＣＰＵ６やＲＡＭ８上に測定プログラムを読み込ませることにより、ＣＰＵ６の制御のもとで、ＲＡＭ８や補助記憶装置10におけるデータの読み出し及び書き込みを行うことで実現される。出力プログラムは、測定プログラムから受信したセンサ部Ｂの位置情報に対応するキー情報（キーの種類）を電子機器Ｅに出力するように設定されている。補助記憶装置10には、図５に示したように、センサ部Ｂの位置情報と、この位置情報に対応するキー情報（キーの種類）とが一対の情報として位置キーテーブルに記憶されている。例えば、キーボードがＪＩＳ配列の日本語キーボードである場合、「最も手前で且つ左側」というセンサ部Ｂの位置情報と、この位置情報に対応する「CTRL」キーというキー情報とが一対の情報として位置キーテーブルに記憶されている。同様に、「手前から２番目の列で且つ左から２番目」というセンサ部Ｂの位置情報と、この位置情報に対応する「Ｚ」キーというキー情報とが一対の情報として位置キーテーブルに記憶されている。この要領で、圧電センサスイッチＡの全てのセンサ部Ｂの位置情報に対して、これらの位置情報に対応するキー情報（キーの種類）がそれぞれ一対の情報として位置キーテーブルに記憶されている。
【００５５】
測定手段である測定プログラムは、センサ部Ｂごとに互いに独立して圧電シート１にて発生する電位の有無を測定モジュール９を介して測定しており、いずれのセンサ部Ｂにおいて荷重が加えられているか否かを常時、検知している。そして、測定プログラムは、何れかのセンサ部Ｂにおいて圧電シートにて電位が発生したことを検知したときは、荷重が加えられているセンサ部Ｂの位置情報を電気信号として出力手段Ｄに出力する。
【００５６】
出力手段である出力プログラムは、測定プログラムからセンサ部Ｂの位置情報を受信すると、このセンサ部Ｂの位置情報に対応するキー情報を、補助記憶装置10に格納されている位置キーテーブルに基づいて特定し、キー情報（キーの種類）を電子機器Ｅに出力する。そして、キー情報を受信した電子機器Ｅは所定の処理を行う。例えば、キーボードがＪＩＳ配列の日本語キーボードである場合、最も手前で且つ左側にあるセンサ部は、キーボードの「CTRL」キーに対応し、手前から２番目の列で且つ左から２番目にあるセンサ部は、キーボードの「Ｚ」に対応するとして位置キーテーブルに記憶されている。例えば、「最も手前で且つ左側にあるセンサ部に荷重が加えられている」場合には、測定プログラムは、位置情報として「最も手前で且つ左側」を出力する。出力プログラムは、測定プログラムから位置情報「最も手前で且つ左側」を受信し、この位置情報に対応するキー情報「CTRL」を位置キーテーブルに基づいて特定し、キー情報を電子機器Ｅに出力する。そして、電子機器Ｅは、出力プログラムから出力されたキー情報に基づいて所定の処理を行う。
【００５７】
そして、圧電センサスイッチＡの圧電シート１が合成樹脂発泡シートである場合、圧電センサスイッチＡのセンサ部Ｂを押圧するごとに圧電シート１がその厚み方向に圧縮、変形することから、従来のキーボードのように、キーを押したときのキーの押下感覚を体感することができ、従来のキーボードと同様な感覚でもって使用することができ、タイピングミスの発生を抑制し、正確なタイピングを行うことができる。
【符号の説明】
【００５８】
１     圧電シート
2A     グランド電極シート
２     グランド電極
3A     シグナル電極シート
３     シグナル電極
４     保護シート
21     第一電気絶縁シート
31     第二電気絶縁シート
31c    貫通孔
４     シールドシート
41     シールド層
５     保護シート
51     センサ位置表示部
６     ＣＰＵ
７     ＲＯＭ
８     ＲＡＭ
９     測定モジュール
10     補助記憶装置
Ａ     圧電センサスイッチ
Ｂ     センサ部
Ｃ     測定手段
Ｄ     出力手段
Ｅ     電子機器
L1     導電線
【図１】
2016020814.tif 000003
【図２】
2016020814.tif 000004
【図３】
2016020814.tif 000005
【図４】
2016020814.tif 000006
【図５】
2016020814.tif 000007